(57)【要約】流量制御ロータリディスクが縮小されたサイズを有するので、前記流量制御ロータリディスクと流量制御固定ディスクとの間の表面摩擦が最小限に抑えられ、それによって前記給水弁の開閉中の操作効率が向上されるとともに、ロータリディスクの縮小されたサイズために、平面度許容値に敏感に反応せず、それによって安定した開閉動作を行える給水弁（水栓）カートリッジ。前記流量制御固定ディスク（１４０）は水吐出孔（１４２）を有する。 前記流量制御ロータリディスク（１５０）は前記水吐出孔（１４２）の周囲領域のみを覆うような直径を有し、前記ロータリディスク（１５０）に形成された一対の流量制御溝（１５１）は、回転中に前記水吐出孔（１４２）のみを開く。【選択図】図１
2009507198.tif 000002
【特許請求の範囲】
【請求項１】
以下を含む給水弁カートリッジであって、
温度制御ユニット（１７０）及び流量制御ユニット（１６０）の動作によって回転され、それよって温水入口孔及び冷水入口孔（１２１及び１２２）を開閉する複数のロータリディスク（１３０及び１５０）と、
複数の対応する固定ディスク（１２０及び１４０）及び複数の水吐出孔（１２３、１３２、１４２及び１５２）に形成された水通路孔（１４１）とであって、
ここでは、入口冷水、入口温水又は冷水と温水との混合水を導入するため前記水通路孔（１４１）を有する前記弁カートリッジ（１００）の固定ディスク（１２０及び１４０）中の流量制御固定ディスク（１４０）に、前記水通路孔（１４１）から所定間隔をおいた位置にて前記流量制御固定ディスクの中心を介して互いに対称に形成され、前記流量制御ロータリディスク（１５０）によって開閉され、冷水、温水又は冷水と温水との混合水を制御可能に吐出する一対の水吐出孔（１４２）が設けられていることを特徴とし、
入口冷水及び入口温水の量を制御し、前記流量制御ユニット（１６０）の動作によって水を吐出する前記ロータリディスク（１３０及び１５０）中の流量制御ロータリディスク（１５０）が、前記流量制御固定ディスク（１４０）の水吐出孔（１４２）の周囲領域のみを覆うような直径を有し、
さらに前記流量制御ロータリディスク（１５０）の端面の両側に形成された一対の流量制御溝（１５１）が前記流量制御ロータリディスクの回転中に前記水吐出孔（１４２）のみを開くことを特徴とする複数のロータリディスクを有する給水弁カートリッジ。
【請求項２】
複数個の固定ディスクが温度制御固定ディスクとしての第１固定ディスク（１２０）と、流量制御固定ディスクとしての第２固定ディスク（１４０）を含むことを特徴とする請求項１に記載の給水弁カートリッジ。
【請求項３】
前記入口冷水と入口温水とを前記弁カートリッジに別々に導入する前記第１固定ディスク（１２０）がカートリッジベースブロック（１１０）に部分的に挿入され、それを介して水が前記弁カートリッジに導入され、かつ吐出され、さらに所定の位置に前記第１固定ディスクを介して形成された温水入口孔及び冷水入口孔（１２１及び１２２）が、前記カートリッジベースブロック（１１０）を介して前記入口冷水と入口温水とを前記弁カートリッジに別々に導入し、前記水吐出孔（１２３）が前記第１固定ディスクの中心を介して形成されることを特徴とする請求項２に記載の給水弁カートリッジ。
【請求項４】
前記入口冷水と前記入口温水との混合後に単一経路を介して冷水と温水との混合水を前記弁カートリッジに導入する前記第２固定ディスク（１４０）が前記第１ロータリディスク（１３０）をオーバーラップするように配置され、さらに前記水通路孔（１４１）が、前記第１ロータリディスク（１３０）の温度制御孔（１３１）の回転角範囲内で所定の位置にて前記第２固定ディスクを介して形成され、前記一対の水吐出孔（１４２）が前記第１ロータリディスク（１３０）の水吐出孔（１３２）との整合位置にて前記第２固定ディスクを介して形成されることを特徴とする請求項２に記載の給水弁カートリッジ。
【請求項５】
複数個のロータリディスクが温度制御ロータリディスクとしての第１ロータリディスク（１３０）と、流量制御ロータリディスクとしての第２ロータリディスク（１５０）と、を含むことを特徴とする請求項１に記載の給水弁カートリッジ。
【請求項６】
前記第１固定ディスク（１２０）に対して回転し、ともに混合される冷水と温水との量に応じて水の温度を制御する前記第１ロータリディスク（１３０）が、前記第１固定ディスク（１２０）と表面接触しており、前記第１ロータリディスクの回転中に前記第１固定ディスク（１２０）の温水入口孔及び冷水入口孔（１２１及び１２２）の開口率を制御するための温度制御孔（１３１）を有し、さらに水吐出孔（１３２）が、前記第１固定ディスク（１２０）の水吐出孔（１２３）との整合位置にて前記第１ロータリディスクを介して形成されることを特徴とする請求項５に記載の給水弁カートリッジ。
【請求項７】
前記第２固定ディスク（１４０）から流入する出口冷水と出口温水との量を制御する前記第２ロータリディスク（１５０）が前記第２固定ディスク（１４０）と表面接触し、さらに前記第２ロータリディスク上に形成された前記流量制御溝（１５１）が、前記流量制御ユニット（１６０）の動作によって生じる前記第２ロータリディスクの回転中に前記第２固定ディスク（１４０）の水吐出孔（１４２）の開口率を制御することを特徴とする請求項５に記載の給水弁カートリッジ。
【請求項８】
前記流量制御ユニット（１６０）が、前記流量制御溝（１５１）を有する前記端部に対向した前記第２ロータリディスク（１５０）の端面にその第１端部にて嵌合連結され、さらに前記流量制御ユニット（１６０）の端面に設けられた弾性体（１６１）が、前記第２ロータリディスク（１５０）を前記第２固定ディスク（１４０）と密着させ、前記流量制御ユニット（１６０）の外周面の中間部分に形成されたストッパ（１６２）が、止めブッシング（１８０）の端部に切断形成されたガイド溝（１８３）に対して９０度以内で回転することを特徴とする請求項１に記載の給水弁カートリッジ。
【請求項９】
前記温度制御ユニット（１７０）が
前記流量制御ユニット（１６０）上に同心状に嵌装され、さらに止めブッシング（１８０）がカートリッジハウジング（１９０）に嵌装され、前記温度制御ユニット（１７０）を前記流量制御ユニット（１６０）から分離し、前記第１ロータリディスク（１３０）が前記温度制御ユニット（１７０）に嵌装されることを特徴とする請求項１に記載の給水弁カートリッジ。
【請求項１０】
前記止めブッシング（１８０）が以下を含むことを特徴とする給水弁カートリッジであって、
カートリッジハウジング（１９０）の内周面に形成された止め突起部（１９１）に係合するように前記止めブッシングの外周面に形成され、それによって前記カートリッジハウジング（１９０）に対して回転することを防止する第１係止突起部（１８１）と、
前記第２固定ディスク（１４０）の第１係止凹部（１４５）を有する前記端部に形成された第２係止突起部（１８２）と、
前記係止突部（１８０及び１８１）に対向した前記止めブッシング（１８０）の端部に形成され、前記流量制御ユニット（１６０）のストッパ（１６２）をガイドするガイド溝（１８３）と、を含むことを特徴とする請求項１に記載の給水弁カートリッジ。
【請求項１１】
前記第１ロータリディスク（１３０）の温度制御孔（１３１）を閉じ、前記水吐出孔（１３２）と連通するため、前記第１ロータリディスク（１３０）にガイド孔（１３３）が設けられていることを特徴とする請求項６に記載の給水弁カートリッジ。
【請求項１２】
一対の対称性の水通路孔（１４４）が前記第２固定ディスク（１４０）の中心を介して形成され、前記第１ロータリディスク（１３０）のガイド孔（１３３）と連通し、前記第２固定ディスク（１４０）を介して所定の位置に通孔（１４６）が形成されることを特徴とする請求項２に記載の給水弁カートリッジ。
【請求項１３】
前記第２固定ディスク（１４０）と表面接触する前記第２ロータリディスク（１５０）がその表面に設けられ、水通路孔（１４４）が前記第２固定ディスク（１４０）の流量制御孔（１５２）に対応し、長軸と短軸を有し、前記第２ロータリディスク（１５０）の端部に形成された環状座部（１５３）がその中に前記流量制御ユニット（１６０）の端部を受け入れることを特徴とする請求項５に記載の給水弁カートリッジ。
【請求項１４】
水吐出通路（１６４）が前記流量制御ユニット（１６０）の中心軸を介して形成され、前記流量制御ユニット（１６０）に形成されたボス部（１６５）が前記第２ロータリディスク（１５０）の環状座部（１５３）に挿入されることを特徴とする請求項１に記載の給水弁カートリッジ。
【発明の詳細な説明】
【技術分野】
【０００１】
本発明は一般的には給水弁（水栓）カートリッジに関するものであり、特に、それぞれの外部水源から供給される水の吐出前に温水及び冷水の温度と流量とを制御する給水弁（水栓）カートリッジに関するものである。
【背景技術】
【０００２】
一般に、給水時に水の温度と流量とを制御するように構成されている給水弁とは、外部水源から供給される水（ボイラーから供給される温水を含む）の流量を制御し、冷水又は温水を選択するか、又は冷水と温水とを混合することによって水温を制御する水制御弁を意味する。
【０００３】
水の温度と流量とを制御できる前記給水弁は、キッチンの流し台の適切な位置又は浴室（公衆風呂を含む）の所定の位置に設置することも可能なので、ユーザーは所望どおりに、前記弁を操作することで水を容易に使用することが可能である。
【０００４】
給水時に水の温度と流量とを制御する従来の給水弁は、ロータリーノブを操作して冷水又は温水を選択するか又は冷水と温水とを混合することによって水の流量と温度とを制御することが可能なノブ操作式弁（水栓）と、レバーを上下に動かすことによって水流量を制御し、前記レバーを左右方向に回動して冷水又は温水を選択するか又は冷水と温水とを混合することによって水の温度を制御することが可能なレバー操作式弁（水栓）と、に分類されている。
【０００５】
詳細に説明すると、従来のノブ操作式給水弁（水栓）には、冷水を制御流量にて吐出するように操作できる冷水ノブと、温水を制御流量にて吐出するように操作できる温水ノブと、が弁（水栓）本体の両側に設けられている。
よって、冷水又は温水のみの使用を望む場合、ユーザーは冷水用又は温水用のノブを操作することによって水流量を容易に制御することが可能である。 しかしながら、温水と冷水とを混合して所望の温度（温水温度と冷水温度間の温度）で水の使用を望む場合、ユーザーはその所望の温度を得るために２つのノブ（冷水用と温水用）を注意深く操作しなくてはならないので、ノブ操作中に問題が発生する可能性もあり、前記ノブ操作式弁はユーザーにとって便利でない。
【０００６】
特に、従来のノブ操作式弁のそれぞれには、冷水及び温水の流量を独立に制御するために使用される複数の弁カートリッジが備わっている。
よって、従来のノブ操作式弁のそれぞれの弁カートリッジには多くの構成要素が含まれるので、前記給水弁の構造は複雑になっている。
【０００７】
さらに、多くの構成要素を持つ複数個の弁カートリッジは、従来のノブ操作式弁の外観を複雑で粗雑なものにしている。
よって従来のノブ操作式弁は、シンプルで洗練された外観を好む現代人の嗜好に合わず、さらに、その製造コストも高くつく。
【０００８】
従来のレバー操作式給水弁（水栓）には、前記ノブ操作式弁とは異なり、前記レバー操作式弁が水の流量を正確に制御できないため、過剰量の水を不必要に無駄するという問題がある。
さらに、従来のレバー操作式弁では、長期間にわたる使用によってその摩擦接触面が磨耗し、前記摩耗接触面の接合部から水漏れが生じる。
【０００９】
特に、ほとんどの従来のレバー操作式弁は１つのレバーを有するので（シングルレバー式弁（水栓）として設計されているシため）、かかる弁（水栓）では、水の温度制御動作中に既存流量が変動したり、水の流量制御動作中に既存温度が変動したりするという操作問題を引き起こす可能性もある。
【００１０】
詳細に説明すると、従来のレバー操作式給水弁が水の温度と流量とを制御するシングルレバーを有するため、ユーザーは、以下のように前記シングルレバーを操作することによって水の温度と流量を制御しなければならない。
ユーザーが水の温度を制御するには、前記シングルレバーを操作して前記弁の制御ディスクを左右に回転させ、それによって温水入口孔及び冷水入口孔の開口率を調整し、温水及び冷水の混合比を制御し、さらに前記弁から吐出される水の温度を制御する。
ユーザーが水の流量を制御するには、前記シングルレバーを操作して前記制御ディスクを前方向又は後方向に移動させ、水の吐出孔の開口率を調整し、前記弁から吐出される水の流量を制御する。
よって、シングル弁を有する従来のレバー操作式弁では前述の操作問題が生じる。
【００１１】
さらに、前述のレバー操作式弁の動作においては前記レバーを正確に操作できないので、水の温度を所望点に制御するために過剰な時間を必要とし、かかる制御中に過剰量の水が前記弁から吐出され不必要に無駄にされる。
さらに、ユーザーが前記レバー操作式弁を誤って全開する可能性もあり、それによって過剰量の水が無駄になる。
【００１２】
前述の問題点を克服するために、本発明者は２００４年１１月３０日に出願の特許文献１において給水弁（水栓）を提案した。
【００１３】
図１に示すように、温水と冷水とを適切に混合することによって水の温度を制御し、温水、冷水、又は温水と冷水との混合水の流量を制御するように構成されている本発明者の提案による給水弁（水栓）には、弁（水栓）カートリッジ１００が含まれる。
前記弁カートリッジ１００には以下が含まれる。 外部から前記弁カートリッジに流入する温水及び冷水を別々にガイドする第１固定ディスク１２０と、 前記第１固定ディスク１２０との関連で回転し、冷水と温水との混合水の量に応じて水の温度を制御する第１ロータリディスク１３０と、
水入口経路を介して前記第１ロータリディスク１３０から前記弁カートリッジに流入する温水及び冷水をガイドする第２固定ディスク１４０と、 前記第２固定ディスク１４０から流入する温水と冷水との混合水の吐出量を制御する第２ロータリディスク１５０。
前記弁カートリッジ１００は、前記第１ロータリディスク１３０が温度制御ユニット１７０によって回転されるように前記カートリッジに入れられた状態で、弁本体２００内に取り付けられる。
さらに、前記第２ロータリディスク１５０は、流量制御ユニット１６０によって前記温度制御ユニット１７０に対して同心状に回転される。 前述のディスク１２０、１３０、１４０及び１５０は、その整合位置にてそれぞれの水吐出孔を有するので、水吐出経路を規定する。
【００１４】
しかしながら、改善された構造を有する前述の給水弁は、前記水入口経路及び前記水吐出経路を開閉するように前記第２固定ディスクと表面接触し、それに対して回転する前記第２ロータリディスクの直径が前記第２固定ディスクの直径と等しいので、前記２つのディスクの接触面積が大きく、同ディスク間の摩擦を大きくしているという点で問題がある。
【００１５】
前述の問題のために、前記第２ロータリディスクの操作は容易でなく、操作効率が低い。
さらに、その大きな接触面積のために、前記ディスクの平面度許容値を管理することが容易でない。
【特許文献１】韓国特許出願第１０-２００４-００９９３２６号
【発明の開示】
【発明が解決しようとする課題】
【００１６】
よって、本発明は、従来技術で発生する上記問題点を念頭に置いてなされたものであり、本発明の目的は、水の流量を制御するロータリディスクが縮小されたサイズを有するので、前記ロータリディスクとそれに対応する固定ディスクとの間の表面摩擦が最小限に抑えられ、前記ロータリディスクの縮小されたサイズのために平面度許容値（前記ロータリディスクと前記固定ディスクとの間の表面接触によって生じる）に敏感に反応しないようになっている給水弁カートリッジを提供することである。
【課題を解決するための手段】
【００１７】
本発明は以下を含む給水弁カートリッジを提供する。
温度制御ユニット及び流量制御ユニットの動作によって回転され、それによって温水入口孔及び冷水入口孔と、複数の対応する固定ディスクに形成された水通路孔と、複数の水吐出孔と、を開閉する複数のロータリディスクであって、入口冷水、入口温水、又は冷水と温水との混合水を導入する前記水通路孔を有する前記弁カートリッジの固定ディスク中の流量制御固定ディスクには一対の水吐出孔が設けられており、該水吐出孔が前記水通路孔から所定間隔をおいた位置に前記流量制御固定ディスクの中心を介して互いに対称に形成され、前記流量制御ロータリディスクによって開閉され、制御可能に冷水、温水又は冷水と温水との混合水を吐出することを特徴とし、入口冷水及び入口温水の量を制御し、前記流量制御ユニットの動作によって水を吐出する前記ロータリディスク中の流量制御ロータリディスクが、前記流量制御固定ディスクの水吐出孔の周囲領域のみを覆うような直径を有し、さらに前記流量制御ロータリディスクの端面の両側に形成された一対の流量制御溝が前記流量制御ロータリディスクの回転中に前記水吐出孔のみを開くようになっていることを特徴とする複数のロータリディスク。
【発明の効果】
【００１８】
本発明では、給水弁中の水の流量を制御するために前記ロータリディスクのサイズを縮小し、それよって前記ロータリディスクと前記固定ディスクとの間の摩擦を最小化し、前記給水弁開閉中の操作効率向上させ、前記弁カートリッジが前記ロータリディスクの縮小されたサイズに起因する平面度許容値に敏感に反応しないようになっているので、前記給水弁は安定した開閉動作を実施することが可能である。
【発明を実施するための最良の形態】
【００１９】
図２〜図４及び図５に示すように、本発明は給水弁カートリッジ１００を提供するものであって、該カートリッジ１００に含まれるのは、温度制御ユニット１７０及び流量制御ユニット１６０の動作によって回転されて温水入口孔１２１及び冷水入口孔１２２を開閉する２つのロータリディスク１３０及び１５０と、対応する固定ディスク１２０及び１４０に形成された水通路孔１４１と、複数の水吐出孔１２３、１３２、１４２及び１５２と、である。
前記給水弁カートリッジ１００において、入口冷水、入口温水又は冷水と温水との混合水を導入する前記水通路孔１４１を有する前記２つの固定ディスク１２０及び１４０中の流量制御固定ディスク１４には、２つの水吐出孔１４２が設けられている。
前記２つの水吐出孔１４２は、前記水通路孔１４１から所定間隔をおいた位置に前記流量制御固定ディスク１４０の中心を介して互いに対称に形成され、前記流量制御ロータリディスク１５０によって開閉され、かつ冷水、温水又は冷水と温水との混合水を制御可能に吐出する。
入口冷水及び入口温水の量を制御し、前記流量制御ユニット１６０の動作によって水を吐出する前記２つのロータリディスク１３０及び１５０中の流量制御ロータリディスク１５０は、前記流量制御固定ディスク１４０の水吐出孔１４２の周囲領域のみを覆うような直径を有する。
２つの流量制御溝１５１は、前記固定ディスク１４０に対する前記流量制御ロータリディスク１５０の回転中に前記２つの水吐出孔１４２のみを開くように、前記流量制御ロータリディスク１５０の端面の両側に形成される。
【００２０】
本発明と、本発明者によって提案された発明（韓国特許申請第１０-２００４-００９９３２６号）とを比較すると、本発明は、前記縮小された直径を有する前記流量制御ロータリディスクのために、前記流量制御ロータリディスクと前記流量制御固定ディスクとの間の摩擦が低減され、それによってユーザーが容易に前記給水弁を操作できるという利点がある。
【００２１】
特に、前記流量制御ロータリディスクに形成される前記２つの流量制御溝が前記流量制御ロータリディスクの全表面積のおよそ半分を占めるので、前記流量制御固定ディスクと表面接触する前記ロータリディスクの表面積はさらに低減される。
よって、前記ロータリディスクと前記固定ディスクとの間の摩擦はさらに低減され、ユーザーが水の流量を制御しながら前記弁を操作することをより容易にする。
【００２２】
本発明に係る弁カートリッジ１００の前述構成要素中の前記２つの固定ディスクには、温度制御固定ディスクとしての第１固定ディスク１２０と、流量制御固定ディスクとしての第２固定ディスク１４０と、が含まれる。
【００２３】
前記給水弁カートリッジでは、前記第１固定ディスク１２０は前記入口冷水と入口温水とを別々に前記弁カートリッジへ導入する。
この第１固定ディスク１２０はカートリッジベースブロック１１０に部分的に挿入され、それを介して水が前記弁カートリッジに導入され、かつ吐出される。 温水入口孔１２１及び冷水入口孔１２２は、前記入口冷水と入口温水とを前記カートリッジベースブロック１１０を介して前記弁カートリッジに別々に導入するように、所定の位置に前記第１固定ディスクを介して形成される。
前記水吐出孔１２３は前記第１固定ディスクの中心を介して形成される。
【００２４】
さらに、前記入口冷水と前記入口温水との混合後、前記第２固定ディスク１４０は単一経路を介して冷水と温水との混合水を前記弁カートリッジに導入する。
この第２固定ディスク１４０は、前記第１ロータリディスク１３０をオーバーラップするように配置される。前記水通路孔１４１は、前記第１ロータリディスク１３０の温度制御孔１３１の回転角範囲内で所定の位置に前記第２固定ディスクを介して形成される。
前記２つの水吐出孔１４２は、前記第１ロータリディスク１３０の水吐出孔１３２との整合位置にて前記第２固定ディスクを介して形成される。
【００２５】
前記第２固定ディスク１４０は、後述する止めブッシングの係止突部に係合するように、その外側周面上に２つの係止突部１４３を有する。
【００２６】
本発明に係る弁カートリッジ１００の前述構成要素中の前記２つのロータリディスクには、温度制御ロータリディスクとしての第１ロータリディスク１３０と、流量制御ロータリディスクとしての第２ロータリディスク１５０と、が含まれる。
【００２７】
前記第１ロータリディスク１３０は前記第１固定ディスク１２０に対して回転し、ともに混合される冷水と温水との量に応じて水の温度を制御する。
この第１ロータリディスク１３０は、前記第１ロータリディスクの回転中に前記第１固定ディスク１２０の温水入口孔１２１と冷水入口孔１２２の開口率を制御するように、前記第１固定ディスク１２０と表面接触し、かつ温度制御孔１３１を有する。
水吐出孔１３２は、前記第１固定ディスク１２０の水吐出孔１２３との整合位置にて前記第１ロータリディスクを介して形成される。
【００２８】
さらに、前記第２ロータリディスク１５０は、前記第２固定ディスク１４０から流入する出口冷水と出口温水との量を制御する。
この第２ロータリディスク１５０は、前記流量制御ユニット１６０の動作によって生じる前記第２ロータリディスクの回転中に前記第２固定ディスク１４０の水吐出孔１４２の開口率を制御するように、前記第２固定ディスク１４０と表面接触し、かつ前記第２ロータリディスクに形成される流量制御溝１５１を有する。
【００２９】
本発明では、前記流量制御溝１５１は、前記ロータリディスクの中心周囲に形成された三角形状又は扇形状を有することも可能である。
【００３０】
本発明に係る弁カートリッジ１００の前述構成要素中の前記流量制御ユニット１６０は、その第１端部にて前記流量制御溝１５１を有する前記端部に対向した前記第２ロータリディスク１５０の端面に嵌合連結される。
弾性体１６１は、前記第２ロータリディスク１５０を前記第２固定ディスク１４０に密着させるように、前記流量制御ユニット１６０の端面に設けられる。 ストッパ１６２は、止めブッシング１８０の端部に切断形成されたガイド溝１８３に対して９０度以内で回転するように、前記流量制御ユニット１６０の外周面の中間部分に形成される。
【００３１】
さらに、本発明に係る弁カートリッジ１００の前述構成要素中の前記温度制御ユニット１７０は、前記流量制御ユニット１６０上に同心状に嵌装されるものであって、さらに前記止めブッシング１８０がカートリッジハウジング１９０に嵌装されて前記温度制御ユニット１７０を前記流量制御ユニット１６０から分離し、かつ前記第１ロータリディスク１３０が前記温度制御ユニット１７０に嵌装されることを特徴とする。
【００３２】
さらに、本発明に係る弁カートリッジ１００の前述構成要素中の前記止めブッシング１８０には、前記カートリッジハウジング１９０の内周面に形成された係止突部１９１に係合するように前記止めブッシング１８０の外周面に形成された第１係止突部１８１が含まれ、それよって前記カートリッジハウジング１９０に対して回転することが防止される。
第２係止突部１８２は、前記第２固定ディスク１４０の係止凹部１４５に係合するように、前記第１端部に形成される。 前記ガイド溝１８３は、前記係止突部１８０及び１８１に対向した前記止めブッシング１８０の第２端部に形成され、前記流量制御ユニット１６０のストッパ１６２をガイドする。
【００３３】
さらに、本発明に係る弁カートリッジ１００の前述構成要素中の前記カートリッジハウジング１９０は、その中に前述の構成要素を受け入れる。
前記カートリッジハウジング１９０の内周面に正反対の位置にて形成された前記２つの対の係止突部１９１は、前記第２固定ディスク１４０と前記止めブッシング１７０との両方を固定し、前記第１ロータリディスク１３０の回転角度範囲を限定する。
【００３４】
さらに、前記カートリッジベースブロック１１０は、それぞれの外部給水管に連結される温水供給孔１１１及び冷水供給孔１１２を有する。
本発明では、前記第１固定ディスク１２０は、ガスケット１１５が挿入される前記カートリッジベースブロック１１０のガスケット挿入溝１１３に部分的に挿入されるので、前記第１固定ディスクが前記弁カートリッジ内で望ましくない動きをしない。
【００３５】
図４、図５及び図６に示すように、本発明に係る弁カートリッジの動作中、入口冷水と入口温水との量は、前記第１ロータリディスク１３０の温度制御孔１３１によって制御される前記第１固定ディスク１２０の温水入口孔１２１と冷水入口孔１２２との開口率（全断面積に対する開口部面積の比率）に応じて制御される。
【００３６】
上記状態では、前記温度制御ユニット１７０の延長アーム１７１は、
前記カートリッジハウジング１９０の内周面に形成される前記係止突部１９１によって制限されるため、前記第１ロータリディスク１３０の回転角度は所定の角度範囲に限定される。
【００３７】
さらに、図７及び図８に示すように、本発明は、前記第２固定ディスク１４０と表面接触する前記第２ロータリディスク１５０の表面が前記流量制御ユニット１６０の端部に嵌合連結されるように構成されている。
よって、前記流量制御ユニット１６０の回転運動は、前記第２ロータリディスク１５０に伝達され、前記第２ロータリディスク１５０を回転させる。 上記状態では、前記弁から吐出される水の量は、前記第２ロータリディスク１５０の流量制御溝１５１によって制御される前記第２固定ディスク１４０の水吐出孔１４２の開口率（全断面積に対する開口部面積の比率）によって制御される。
【００３８】
上記状態では、前記第２ロータリディスク１５０は、前記第２固定ディスク１４０の水吐出孔１４２のみを開閉する直径を有するディスクであるので、その上で前記２つのディスク１４０及び１５０が互いに摩擦接触している前記表面積は縮小され、前記弁の容易な操作を可能にする。
【００３９】
図９に示すように、前記カートリッジベースブロック１１０の温水供給孔１１１と冷水供給孔１１２とを介して前記弁カートリッジに流入された温水及び冷水が前記固定ディスク１２０の温水入口孔１２１と冷水入口孔１２２とに別々に到達した際、温水、冷水又は温水と冷水との混合水は、前記第１ロータリディスク１３０の温度制御孔１３１の角度位置に応じて前記弁カートリッジに流入する（図４を参照のこと）。
上記状態では、前記入口水は前記第２固定ディスク１４０の水通路孔１４１を通過する。 その後、その水は、前記それぞれのディスクの複数個の水吐出孔と、前記カートリッジベースブロック１１０の水出口孔１１４と、を介して前記弁から吐出される。
上記状態では、前記弁から吐出される水の量は、前記第２ロータリディスク１５０の流量制御溝１５１によって制御される前記水吐出孔１４２の開口率によって制御される（図８を参照のこと）。
【００４０】
しかしながら、図１０に示すように、前記第２固定ディスク１４０の水通路孔１４１を介して入口水が前記弁カートリッジに流入されているが、前記第２固定ディスク１４０の水吐出孔１４２が前記第２ロータリディスク１５０の流量制御溝１５１に連通していない場合、その水は前記弁カートリッジに流入することができないので、前記弁カートリッジは水を吐出することはできない。
【００４１】
前述閉時状態の弁カートリッジは図７に図解説明する。
【００４２】
以下に、本発明のさらなる実施形態を説明する。
図１１及び図１２に示すように、前記第１ロータリディスク１３０の温度制御孔１３１を前記水吐出孔１３２と連通させるように、前記第１ロータリディスク１３０にガイド孔１３３を設けてもよい。
【００４３】
さらに、図１３、図１４及び図１５に示すように、前記第１ロータリディスク１３０が前記温度制御ユニット１７０の回転運動によってを回転される場合、前記第１ロータリディスク１３０の温度制御孔１３１は前記第１固定ディスク１２０の温水入口孔１２１と冷水入口孔１２２との開口率を制御し、それよって冷水、温水又は温水と冷水との混合水を前記弁から吐出する。
【００４４】
さらに、前記水通路孔１４４が前記第１ロータリディスク１３０のガイド孔１３３と連通するように、前記第２固定ディスク１４０の中心を介して一対の対称性の水通路孔１４４を形成してもよい。
【００４５】
上記の場合、前記第１ロータリディスク１３０を通過後に水を前記弁カートリッジの中心にガイドすることも可能である。
【００４６】
さらに、前記第２ロータリディスク１５０を前記第２固定ディスク１４０と表面接触するその表面に設け、前記第２固定ディスク１４０の水通路孔１４４を流量制御孔１５２に対応させることも可能である。
上記の場合、長軸及び短軸を有する環状座部１５３を前記第２ロータリディスク１５０の端部に形成することも可能である。
【００４７】
よって、前記第２ロータリディスク１５０は、前記流量制御ユニット１６０の回転運動によって回転可能であり、さらに図１６及び図１７に示すように、前記第２固定ディスク１４０の水通路孔１４４を開閉する。
上記の場合、吐出される水の流量は前記水通路孔１４４の開口率によって制御可能である。
【００４８】
さらに、水吐出通路１６４を前記流量制御ユニット１６０の中心軸を介して形成し、前記流量制御ユニット１６０に形成されたボス部１６５を前記第２ロータリディスク１５０の環状座部１５３に挿入することも可能である。
【００４９】
上記の場合、前記第２固定ディスク１４０の水通路孔１４４が前記第２ロータリディスク１５０の流量制御孔１５２によって開口されるか、又は前記流量制御ユニット１６０の回転運動によって該制御孔１５２に整合されると、図１８に示すように、前記第２ロータリディスク１５０を通過する入口水は、前記流量制御ユニット１６０の水吐出通路１６４を介して前記弁から吐出することが可能である。
【００５０】
つまり、前記弁カートリッジ１００に流入した水は、前記弁カートリッジから前記弁の外側に吐出することが可能である。
【００５１】
しかしながら、前記流量制御ユニット１６０の回転運動によって回転される前記第２ロータリディスク１５０の流量制御孔１５２が前記第２固定ディスク１４０の水通路孔１４４と連通しない場合、前記ディスク表面（前記第２ロータリディスク１５０の流量制御孔１５２を除く）は閉じられるので、図１９に示すように、前記第２固定ディスク１４０の水通路孔１４４に到達した水は、前記流量制御ユニット１６０の水吐出通路１６４を介して外部に吐出されることが妨げられる。
【００５２】
なお、図１８及び図１９に示すように、前記第２固定ディスク１４０を介して通孔１４６が所定の位置に形成される場合、前記第２固定ディスク１４０の通孔１４６を介して上方向に通過した水は下方向に圧力をかけるので、前記第２固定ディスク１４０の上面と前記第２ロータリディスク１５０の下面との間の接触力が増大される。
したがって、高い液圧が前記弁カートリッジにかけられたとしても、つまり、液圧が前記限定以上に増加したとしても、前記ディスクを円滑に操作することが可能である。
【産業上の利用可能性】
【００５３】
本発明は、水の流量を制御するロータリディスクが縮小されたサイズを有するので、前記ロータリディスクと対応する固定ディスクとの間の表面摩擦が最小限に抑えられ、それよって前記弁開閉中の給水弁操作効率を向上させ、前記ロータリディスクの縮小されたサイズため平面度許容値に敏感に反応せず、それよって安定した開閉動作を実行する給水弁カートリッジを提供する。
【図面の簡単な説明】
【００５４】
【図１】図１は給水弁（水栓）カートリッジを図解説明する分解斜視図である（本発明者によってなされた韓国特許申請第１０-２００４-００９９３２６号による提案）。
【図２】図２は本発明の第１実施形態の構造を図解説明する分解斜視図である。
【図３】図３は本発明の第１実施形態の重要部の構造を図解説明する分解斜視図である。
【図４】図４は、本発明の第１実施形態の温度制御動作を図解説明する平面図である。
【図５】図５は、本発明の第１実施形態の温度制御動作を図解説明する平面図である。
【図６】図６は、本発明の第１実施形態の温度制御動作を図解説明する平面図である。
【図７】図７は本発明の第１実施形態の流量制御動作を図解説明する平面図である。
【図８】図８は本発明の第１実施形態の流量制御動作を図解説明する平面図である。
【図９】図９は、本発明の第１実施形態の開状態と閉状態を図解説明する断面図である。
【図１０】図１０は、本発明の第１実施形態の開状態と閉状態を図解説明する断面図である。
【図１１】図１１は本発明の第２実施形態の構造を図解説明する分解斜視図である。
【図１２】図１２は本発明の第２実施形態の重要部の構造を図解説明する分解斜視図である。
【図１３】図１３は、本発明の第２実施形態の温度制御動作を図解説明する平面図である。
【図１４】図１４は、本発明の第２実施形態の温度制御動作を図解説明する平面図である。
【図１５】図１５は、本発明の第２実施形態の温度制御動作を図解説明する平面図である。
【図１６】図１６は本発明の第２実施形態の流量制御動作を図解説明する平面図である。
【図１７】図１７は本発明の第２実施形態の流量制御動作を図解説明する平面図である。
【図１８】図１８は、本発明の第２実施形態の開状態と閉状態を図解説明する断面図である。
【図１９】図１９は、本発明の第２実施形態の開状態と閉状態を図解説明する断面図である。
【図１】
2009507198.tif 000003
【図２】
2009507198.tif 000004
【図３】
2009507198.tif 000005
【図４】
2009507198.tif 000006
【図５】
2009507198.tif 000007
【図６】
2009507198.tif 000008
【図７】
2009507198.tif 000009
【図８】
2009507198.tif 000010
【図９】
2009507198.tif 000011
【図１０】
2009507198.tif 000012
【図１１】
2009507198.tif 000013
【図１２】
2009507198.tif 000014
【図１３】
2009507198.tif 000015
【図１４】
2009507198.tif 000016
【図１５】
2009507198.tif 000017
【図１６】
2009507198.tif 000018
【図１７】
2009507198.tif 000019
【図１８】
2009507198.tif 000020
【図１９】
2009507198.tif 000021
【国際調査報告】
2009507198.tif 000022
2009507198.tif 000023